(57)【要約】本明細書にコンピュータ・システムを記載する。このコンピュータ・システムの一実施形態は、キーボードを備える第１の部分と、ディスプレイを備える第２の部分とを備える。コンピュータには光源が付加され、その光源は少なくとも第１の位置及び第２の位置に保つことができる。光源が第１の位置にある場合、光源が発する光はキーボードを照らし、光源が第２の位置にある場合、光源が発する光はコンピュータのユーザが占有する空間領域を照らす。【選択図】図１
2012500437.tif 000002
【特許請求の範囲】
【請求項１】
キーボードを備える第１の部分と、
ディスプレイを備える第２の部分と、
コンピュータに付加される光源とを備え、
前記光源は少なくとも第１の位置及び第２の位置に保つことができ、前記光源が前記第１の位置にある場合、前記光源が発する光は前記キーボードを照らし、前記光源が前記第２の位置にある場合、前記光源が発する光は前記コンピュータのユーザが占有する空間領域を照らすことを特徴とするコンピュータ。
【請求項２】
前記光源が前記第１の部分に付加されることを特徴とする請求項１に記載のコンピュータ。
【請求項３】
前記光源が前記第２の部分に付加されることを特徴とする請求項１に記載のコンピュータ。
【請求項４】
前記光源が前記第２の位置にある場合、前記光源は前記コンピュータから突き出ることを特徴とする請求項１に記載のコンピュータ。
【請求項５】
前記光源が前記第１の位置にある場合、前記光源は前記コンピュータと略同一平面上にあることを特徴とする請求項１に記載のコンピュータ。
【請求項６】
前記光源は、第３の位置に保つことができることを特徴とする請求項１に記載のコンピュータ。
【請求項７】
プッシュ・プッシュ機構により、前記光源を前記第１の位置と前記第２の位置との間で移動できることを特徴とする請求項１に記載のコンピュータ。
【請求項８】
戻り止め機構により、前記光源を前記第１の位置及び前記第２の位置に保つことができることを特徴とする請求項１に記載のコンピュータ。
【請求項９】
前記戻り止め機構が、自らの中に戻り止めが設置される、前記第２の部分に装着される一部分を含み、
前記光源は、前記戻り止めの中に受け入れることができる少なくとも１個の部材を備えることを特徴とする請求項８に記載のコンピュータ。
【請求項１０】
摩擦により、前記光源を前記第１の位置及び前記第２の位置に保つことができることを特徴とする請求項１に記載のコンピュータ。
【請求項１１】
カメラをさらに備え、
前記カメラは空間領域内の画像を捉えるように焦点を合わせられ、
前記空間領域は前記光源によって照らされることを特徴とする請求項１に記載のコンピュータ。
【請求項１２】
前記光源が前記第２の位置にある場合、前記空間領域が前記光源によって照らされることを特徴とする請求項１１に記載のコンピュータ。
【請求項１３】
前記光源が前記第１の位置にある場合、前記光源は第１の強度の光を発し、
前記光源が前記第２の位置にある場合、前記光源は第２の強度の光を発することを特徴とする請求項１に記載のコンピュータ。
【請求項１４】
前記第２の強度が、前記第１の強度よりも強いことを特徴とする請求項１に記載のコンピュータ。
【請求項１５】
位置センサをさらに備え、前記位置センサは、前記光源の前記位置に関する少なくとも１つの指示を提供することを特徴とする請求項１に記載のコンピュータ。
【発明の詳細な説明】
【技術分野】
【０００１】
ラップトップ・コンピュータやノートブック・コンピュータなどの一部のコンピュータは、ユーザの画像を捉えるためのカメラを含む。
【背景技術】
【０００２】
カメラがユーザの画像を捉えるために、ユーザは比較的明るい光で照らされる必要がある。
【発明の概要】
【０００３】
一部のコンピュータにはライトが含まれるが、これらのライトは通常は比較的薄暗く、キーボードを照らすために使用される。
【図面の簡単な説明】
【０００４】
【図１】コンピュータの一実施形態を示す図である。
【図２】コンピュータ内に光源が引っ込んだ状態の、図１のコンピュータの第２の部分の部分断面図である。
【図３】コンピュータから光源が突き出た状態の、第２の部分の部分断面図である。
【図４】機構の一実施形態と図１の光源との間の関係を示す上面図である。
【図５】図４の機構及び光源の側面図である。
【発明を実施するための形態】
【０００５】
図１に、コンピュータ１００の一実施形態を示す。コンピュータ１００は、ラップトップ型コンピュータだが、本明細書で行う説明は他の種類のコンピュータにも適用することができる。コンピュータ１００は、第１の部分１１０と第２の部分１１２とを備え、第１の部分１１０は第２の部分１１２に取り付けられる。図１の実施形態では、第１の部分１１０は、ヒンジ１１６により、第２の部分１１２に旋回可能に取り付けられる。第１の部分１１０は、キーボード１２０、及び表示されたカーソルを動かすために指又は他のオブジェクトの動きを検知する役割を果たすポインタ・パッド１２２を備える。
【０００６】
第２の部分１１２は、自らの中に液晶ディスプレイ（ＬＣＤ）などのディスプレイ１２２が設置される。図１の実施形態では、この第２の部分１１２は、光源１３０及びカメラ１３２も含む。図１に示すカメラ１３２は、レンズ部分であり、このカメラの他のコンポーネントは、第１の部分１１０内又は第２の部分１１２内のいずれにあってもよい。カメラ１３２は、コンピュータ１００のユーザの画像を捉えるために焦点を合わせることができる。そうしたユーザは、ディスプレイ１２２の前の、及びキーボード１２０の上の空間領域を占有することができる。したがって、カメラ１３２は、コンピュータ１００の前の領域の画像を捉えるように設計することができる。以下により詳細に説明するように、光源１３０は、この空間領域を照らすことができる。
【０００７】
以下により詳細に説明するように、光源１３０は、少なくとも２つの位置の間を移動できる。光源１３０が第１の位置にある場合、光源１３０が発する光はキーボード１２０を照らす。この照明は、コンピュータ１００のユーザが、周辺光が乏しい状態の中でキーボードを使用し且つ／又は見ることを可能にするのに役立つ。光源１３０が第２の位置にある場合、その光源１３０は、上記に述べたように、コンピュータ１００のユーザが占有する空間領域を照らす。この第２の位置では、カメラ１３２がユーザのより良い画像を捉えるために、光源１３０がユーザを照らす。ユーザの画像を捉えるには強力な光が必要な場合があるので、光源１３０が第２の位置にあるとき、光源１３０が発する光の強さは、より強くてよい。
【０００８】
光源１３０を備えるコンピュータ１００の動作について手短に説明したので、次にその動作についてより詳細に説明する。一部の実施形態では、光源１３０及び／又は第２の部分１１２は、第２の部分１１２に対して光源１３０を定位置に保つ役割を果たす機構を備え、その定位置には、上記に述べた第１の位置及び第２の位置が含まれる。一部の実施形態では、光源１３０を上記に述べた位置に保つため、戻り止め機構及び／又はラチェット機構を使用する。
【０００９】
第２の部分１１２の断面図である図２に、第２の部分１１２内に位置する光源１３０の一実施形態を示す。図２の第２の部分１１２の実施形態は、外壁１４０、内壁１４２、及び外壁１４０と内壁１４２との間にある空間１４４を有する。外壁１４０は、外面１４６を有する。光源１３０を収容するように、外壁１４０には孔１４８がある。光源１３０は、回転軸１５０において内壁１４２に接続され、この回転軸１５０は、光源１３０が内壁１４２に対して旋回することを可能にする。図２の実施形態は、事前に選択した定位置に光源１３０を保つ役割を果たす機構１７０を含む。図２に示すように、光源１３０は、実質的に第２の部分１１２の空間１４４内にある。図１にさらに関して、光源１３０のこの位置は、第２の位置と呼ぶことができ、上記に述べたように、コンピュータ１００のユーザを照らすために使用することができる。
【００１０】
図３は、外壁１４０から突き出た位置にある光源１３０を示す。図１にさらに関して、光源１３０のこの位置は、キーボード１２０を照らすのに役立つことができ、第１の位置と呼ばれることがある。機構１７０は、図３の定位置に光源１３０を保つことができる。他の実施形態では、この機構１７０は光源を外壁１４０に対して押し出し、それにより光源１３０を第１の位置に保つ。
【００１１】
機構１７０は、光源１３０を様々な位置に保つのに役立つ複数の機構のうちのいずれでもよい。一部の実施形態では、この機構１３０は、光源１３０に圧力を加えたときに光源１３０をある位置から他の位置に移動させる、プッシュ・プッシュ機構である。図２に示すように光源１３０が引っ込んでおり、すなわち第２の位置にある場合、光源１３０を内壁１４２に向けて押し、その後、離すことができる。このプッシュ・プッシュ機構は、図３の突き出た位置すなわち第１の位置に光源１３０を移動させる。同様に、光源１３０が図３の突き出た位置にある場合、光源１３０を内壁１４２に向けて押し、それにより、圧力が再び加えられるまで光源１３０を図２の引っ込んだ位置にとどめるようにすることができる。
【００１２】
図４及び図５は、光源１３０及び機構１７０の実施形態を示し、この組合せは、光源１３０を定位置に保つために戻り止め機構を使用する。これらの実施形態では、光源１３０は、自らの中に孔１７４が設置される。ばね１７６が、球体１７８などを孔１７４から押し出す。機構１７０は、球体１７８を受け入れるように設計される複数の戻り止め１８０又は孔が、自らの中に設置される。光源１３０を移動させるとき、球体１７８が孔１８０のうちの１つに入り、それにより光源１３０を定位置にとどめるようにする。光源１３０に圧力を加えることは、次の戻り止めに出くわすまで、光源１３０を移動させる。光源１３０を移動させるために、タブ１８４を設ける。このタブ１８４は、図１、第２の部分１１２から光源１３０を引き出すために、ユーザが光源１３０をつかむことを可能にする。図４及び図５の機構１７０は、光源１３０が３つの定位置にあることを可能にする、３つの戻り止め１８０を有することを指摘しておく。これらの位置は、第１の部分１１０に対する第２の部分１１２の様々な位置、及びユーザに対する第２の部分１１２の様々な位置について、光源１３０のより優れた調節を実現する。他の実施形態は、より多くの又はより少ない戻り止めを有してよいことを指摘しておく。
【００１３】
同様の実施形態では、機構１７０は、光源１３０に対する摩擦をもたらすことができる。この摩擦は、光源１３０を定位置に保つ役割を果たす。そのような実施形態でもやはり、タブ１８４は、図１、コンピュータ１００の第２の部分１１２から光源１３０を引き出すために、ユーザが光源１３０をつかむことを可能にすることができる。
【００１４】
図２を参照すると、コンピュータ１００の一実施形態は、光源１３０の位置を決定するための、１個又は複数個のスイッチ若しくは位置センサを含むことができる。図２の実施形態は、内壁１４２上に位置するスイッチ１９０を有する。光源１３０が引っ込んでおり、すなわち第２の位置にある場合、スイッチ１９０が切り替えられ、これにより光源１３０が引っ込んでいることをコンピュータ１００に知らせる。この構成では、光源１３０は、ユーザを照らすように向けられている可能性がある。したがって、光源１３０からは強い光が求められる場合がある。光源１３０の位置を決定するために、数多くの他の位置センサを使用することができる。
【００１５】
この光源１３０は、第２の部分１１２内にあるものとして上記に記載した。しかし、一部の実施形態では、この光源は第１の部分１１０内にあってよい。そうした実施形態では、キーボード１２０を照らすため、光源１３０は第１の部分１１０の上方に伸びることができる。
【図１】
2012500437.tif 000003
【図２】
2012500437.tif 000004
【図３】
2012500437.tif 000005
【図４】
2012500437.tif 000006
【図５】
2012500437.tif 000007
【国際調査報告】
2012500437.tif 000008
2012500437.tif 000009